(57)【要約】    【課題】  簡単かつ安価に設置できるようにしたソーラーパネルの設置構造を提供する。    【解決手段】  高い第１ブロック１０及び低い第２ブロック１１の各々の上面をソーラーパネル２０の傾斜角度に対応する角度に傾斜させ、床面４０上には複数の第１ブロックを、相互に隣接してかつその上面の傾斜を前方に指向させて配置し、第１ブロックの並びの前方には複数の第２ブロックを、相互に所定の間隔をあけかつその上面の傾斜を前方に指向させて配置し、第１、第２のブロック上面には少なくとも２枚のソーラーパネルを横幅方向に隣接して搭載し、第１ブロック及び第２ブロック上面のアンカーボルト３０Ａには押え具３１Ａ、３１Ｂの挿通穴３１Ｃを嵌め込み、押え部３１Ｄをソーラーパネルの側縁に被せ、アンカーボルトにナット３０Ｂを螺合させて締付けることによって、ソーラーパネルを第１、第２ブロックに固定する。【選択図】  図２
2014129713.tif 000002
【特許請求の範囲】
【請求項１】
少なくとも２枚のソーラーパネルを横幅方向に並べて床面上に設置するようにしたソーラーパネルの設置構造において、
高さの高い第１ブロック（１０）及び高さの低い第２ブロック（１１）の各々の上面がソーラーパネル（２０）の傾斜角度に対応する角度に傾斜して形成され、
床面（４０）上には複数の上記第１ブロック（１０）が、ソーラーパネル（２０）裏面に後方から風が当たるのを抑制するように相互に隣接してかつその上面の傾斜を前方に指向させて配置され、該第１ブロック（１０）の並びの前方には複数の上記第２ブロック（１１）が、相互に所定の間隔をあけかつその上面の傾斜を前方に指向させて配置され、上記第１、第２のブロック（１０、１１）上面には上記少なくとも２枚のソーラーパネル（２０）が横幅方向に隣接して搭載され、
上記第１ブロック（１０）及び第２ブロック（１１）の上面に固定されたアンカーボルト（３０Ａ）には押え具（３１Ａ、３１Ｂ）の挿通穴（３１Ｃ）が嵌め込まれ、該押え具（３１Ａ、３１Ｂ）の押え部（３１Ｄ）がソーラーパネル（２０）の側縁に被せられ、上記アンカーボルト（３０Ａ）にはナット（３０Ｂ）が螺合されて締付けられることによって、上記少なくとも２枚のソーラーパネル（２０）が上記第１、第２ブロック（１０、１１）に固定されていることを特徴とするソーラーパネルの設置構造。
【請求項２】
上記第１、第２のブロック（１０、１１）が、ソーラーパネル（２１）の浮き上がりを阻止するための重錘となっている請求項１記載のソーラーパネルの設置構造。
【請求項３】
上記複数の第２ブロック（１１）は、床面（４０）上の上記第１ブロック（１０）の並びの前方の、設置されるべきソーラーパネル（２０）前端隅部の位置に配置されている請求項１記載のソーラーパネルの設置構造。
【請求項４】
上記アンカーボルト（３０Ａ）は、上記第１、第２のブロック（１０、１１）の製造時にブロックに埋め込まれたものである請求項１記載のソーラーパネルの設置構造。
【請求項５】
上記アンカーボルト（３０Ａ）は、上記第１、第２のブロック（１０、１１）に形成されたボルト取付け用穴に差し込まれて固定されるか、又は上記第１、第２のブロック（１０、１１）に埋め込まれた雌ねじに螺合されたものである請求項１記載のソーラーパネルの設置構造。
【請求項６】
上記押え具には、挿通穴（３０Ｃ）の両側に押え部（３０Ｄ）が形成され隣接するソーラーパネル（２０）の対向する側縁を押えるようになっている第１の押え具（３１Ａ）と、挿通穴（３１Ｃ）の一側方に起立辺部（３１Ｅ）を介して押え部（３０Ｄ）が形成され外側方のソーラーパネル（２０）の外側縁を押えるようになっている第２の押え具（３１Ｂ）が含まれている請求項１記載のソーラーパネルの設置構造。
【発明の詳細な説明】
【技術分野】
【０００１】
本発明はソーラーパネルの設置構造に関し、特に簡単かつ安価に設置できるようにした設置構造に関する。
【背景技術】
【０００２】
ソーラー発電は再生可能エネルギーを利用する発電設備であり、火力発電や原子力発電に比較して環境への負荷が少なく、メンテナンス性にも優れていることから、設置が増加する傾向にある。
【０００３】
通常、ソーラー発電では建屋屋上や地上にソーラーパネル用架台を構築し、架台にソーラーパネルを搭載して固定するという構造が採用されることが多い。
【０００４】
例えば、床面の矩形の各頂点の位置に、前方に低いコンクリートブロックを、後方に高いコンクリートブロックを各々設置し、コンクリートブロックに取付けブラケットを立設し、この取付けブラケットにソーラーパネル側のＬ型アングルをねじなどによって取付けることによって、ソーラーパネルを傾斜して設置するようにしたソーラーパネルの設置構造が知られている（特許文献１）。
【０００５】
また、床面上に、前方に低いコンクリートブロックを相互に隣接して配列し、後方に高いコンクリートブロックを相互に隣接して配列し、コンクリートブロックの上にＬ型アングル製のフレームをボルト締結し、このＬ型アングルにＬ型アングルを連結具によって連結して傾斜した矩形の架台を構成し、この架台上にソーラーパネルを搭載して取付けるようにしたソーラーパネルの設置構造が知られている（特許文献２）。
【０００６】
さらに、床面上に、前方に低いコンクリートブロックを、後方に高いコンクリートブロックを各々配列し、後方のコンクリートブロックの外周にはホルダーを抱きつかせる一方、前方のコンクリートブロックの下側にはホルダーを敷き、ホルダー上にソーラーパネルを搭載し、ソーラーパネルの前端縁及び後端縁を押え具で押え、これらの押え具をホルダーにボルトなどによって固定するようにしたソーラーパネルの設置構造が知られている（特許文献３）。
【先行技術文献】
【特許文献】
【０００７】
【特許文献１】特開２０１０−２５８０２４号公報
【特許文献２】特開平１１−１７７１１４号公報
【特許文献３】実用新案登録第３１６４１４２号公報
【発明の開示】
【発明が解決しようとする課題】
【０００８】
しかし、特許文献１〜３記載のソーラーパネルの設置構造では取付けブラケットやアングル、架台、ホルダー及び押え具などの多数の部品を必要とし、その組立て作業が煩雑であり作業者に大きな負担となるばかりでなく、組立てに時間を必要とし、コスト高を招来していた。
【０００９】
本発明はかかる問題点に鑑み、簡単かつ安価に設置できるようにしたソーラーパネルの設置構造を提供することを課題とする。
【課題を解決するための手段】
【００１０】
そこで、本発明に係るソーラーパネルの設置構造は、少なくとも２枚のソーラーパネルを横幅方向に並べて床面上に設置するようにしたソーラーパネルの設置構造において、高さの高い第１ブロック及び高さの低い第２ブロックの各々の上面がソーラーパネルの傾斜角度に対応する角度に傾斜して形成され、床面上には複数の上記第１ブロックが、ソーラーパネル裏面に後方から風が当たるのを抑制するように相互に隣接してかつその上面の傾斜を前方に指向させて配置され、該第１ブロックの並びの前方には複数の上記第２ブロックが、相互に所定の間隔をあけかつその上面の傾斜を前方に指向させて配置され、上記第１、第２のブロック上面には上記少なくとも２枚のソーラーパネルが横幅方向に隣接して搭載され、上記第１ブロック及び第２ブロックの上面に固定されたアンカーボルトには押え具の挿通穴が嵌め込まれ、該押え具の押え部がソーラーパネルの側縁に被せられ、上記アンカーボルトにはナットが螺合されて締付けられることによって、上記少なくとも２枚のソーラーパネルが上記第１、第２ブロックに固定されていることを特徴とする。
【００１１】
本発明の特徴の１つは、高い第１ブロック及び低い第２ブロックの上面をソーラーパネルの傾斜に対応する角度に傾斜させるようにした点にある。これにより、ソーラーパネルを第１、第２のブロックに直接搭載するだけで、すなわちソーラーパネルを傾斜させるための取付けブラケットなどを用いることなく、傾斜させて設置することができる。
【００１２】
本発明の第２の特徴は、第１、第２ブロックのアンカーボルトに押え具の挿通穴を嵌め込んで押え具の押え部をソーラーパネルの側縁に被せ、アンカーボルトにナットを螺合させて締め付けることによって、ソーラーパネルを第１、第２のブロックに固定するようにした点にある。
【００１３】
これにより、ソーラーパネルのブロックへの搭載、アンカーボルトへの押え具の嵌め込み及びナットの締付けという簡単な作業によってソーラーパネルを確実に設置することができ、コスト高を招来することがなく、特に鉄筋コンクリート製構造物の屋上や平坦な地上への設置には最適な構造であり、その効果は大きい。
【００１４】
また、本発明の第３の特徴はソーラーパネルの傾斜の高い側に第１のブロックを隣接して並べるようにした点にある。これにより、後方からの強風がソーラーパネルの裏面に廻り込むことがなく、ソーラーパネルが浮き上がるのを阻止することができる。
【００１５】
ここで、ソーラーパネルの設置の構造上、第１、第２のブロックは、強風によるソーラーパネルの浮き上がりと滑りを阻止する重錘の機能を付与する、つまりソーラーパネルの浮き上がりと滑りを阻止し得る重さとするのが好ましい。
【００１６】
第２ブロックは第１ブロックの並びの前方にて適当な間隔をあけて配置すればよいが、床面上の第１ブロックの並びの前方の、設置されるべきソーラーパネル前端隅部の位置に配置するのが好ましい。
【００１７】
アンカーボルトは、設置時に、第１、第２のブロックにボルト取付け用穴をドリルなどで穿設し、このボルト取付け用穴にアンカーボルトを打ち込んで固定するようにしてもよく、又ブロックの製造時に、予め雌ねじを埋め込んでおき、設置時にアンカーボルトを雌ねじをねじ込むようにしてもよく、さらにブロックの製造時に、予めブロックに埋め込んでおくようにしてもよい。なお、ブロック製造時にアンカーボルトや雌ねじを埋め込むようにすると、設置の作業性を向上させることができる。
【００１８】
押え具はソーラーパネルの側縁に被せられて固定できるものであればよく、例えば挿通穴の両側に押え部を形成し、隣接するソーラーパネルの対向する側縁を押える第１の押え具と、挿通穴の一側方に起立辺部を介して押え部を形成し、外側方のソーラーパネルの外側縁を押える第２の押え具を採用することができる。
【図面の簡単な説明】
【００１９】
【図１】本発明に係る設置構造の好ましい実施形態によって設置されたソーラーパネルの列を示す平面図である。
【図２】上記実施形態を示す概略側面図である。
【図３】上記実施形態における後部（ａ）及び前部（ｂ）を示す背面及び正面からの図である。
【図４】上記実施形態を示す平面図である。
【図５】上記実施形態における第１、第２の押え金具（ａ）（ｂ）を示す斜視図である。
【図６】上記実施形態における第１、第２のブロック（ａ）（ｂ）を示す斜視図である。
【図７】第２の実施形態における第１、第２のブロック（ａ）（ｂ）を示す斜視図である。
【図８】上記実施形態を示す平面図である。
【発明を実施するための形態】
【００２０】
以下、本発明を図面に示す具体例に基づいて詳細に説明する。図１ないし図６は本発明に係るソーラーパネルの設置構造の好ましい実施形態を示す。図１において、床面４０上には複数枚のソーラーパネル２０が横幅方向に並べて設置され、このソーラーパネル２０の並びが前後方向に多段に設けられてソーラー発電設備が構成されている。
【００２１】
上述のソーラーパネル２０は図２ないし図６に示される構造で設置される。すなわち、床面４０上には高さの高い複数の第１のブロック１０が横幅方向に隣接して配置され、第１のブロック１０の並びの前方には高さの低い第２のブロック１１が第１のブロック１０の並びからソーラーパネル２０の前後方向の長さと等しい間隔をあけてソーラーパネル２０の前端隅部の位置に配置されている。
【００２２】
この第１、第２のブロック１０、１１は強風によるソーラーパネル２０の浮き上がり及び滑りを阻止し得る重さに形成され、その上面は図６の（ａ）（ｂ）に示されるように、ソーラーパネル２０の傾斜角度に対応した、つまり等しい傾斜角度に形成され、第１、第２のブロック１０、１１はその傾斜が同一方向を指向するようにして床面４０上に配置され、又第１、第２のブロック１０、１１の上面中央にはアンカーボルト３０Ａがブロック製造時に埋め込まれている。なお、ブロック製造時に第１、第２のブロック１０、１１の上面中央に雌ねじを埋め込んでおき、設置時にアンカーボルト３０Ａをねじ込ませるようにしてもよい。
【００２３】
この第１、第２のブロック１０、１１上のアンカーボルト３０Ａ間にはソーラーパネル２０が横幅方向に並べて搭載され、又第１、第２のブロック１０、１１のアンカーボルト３０Ａには第１、第２の押え金具３１Ａ、３１Ｂの挿通穴３１Ｃが嵌め込まれ、押え金具３１Ａ、３１Ｂの押え部３１Ｄがソーラーパネル２０の側縁に被せられた後、アンカーボルト３０Ａに、ナット３０Ｂが螺合され、締め付けられることによってソーラーパネル２０が第１、第２のブロック１０、１１に押し付けられて固形されている。
【００２４】
第１の押え金具３１Ａは図５の（ａ）に示されるように、中央の挿通穴３１Ｃの両側に押え部３１Ｄが形成された平板状をなし、隣接するソーラーパネル２０の対向する側縁を同時に押さえるようになっている。
【００２５】
また、第２の押え金具３１Ｂは図５の（ｂ）に示されるように、挿通穴３１Ｃの一側方に起立辺部３１Ｅが形成され、起立辺部３１Ｅの上端に連続して押え部３１Ｄが形成されており、最外側に位置するソーラーパネル２０の外側縁を押さえるようになっている。
【００２６】
以上のように、高さの高い第１ブロック１０及び高さの低い第２ブロック１１の上面をソーラーパネル２０の傾斜に対応する角度に傾斜させるようにしたので、ソーラーパネル２０を第１、第２のブロック１０、１１に直接搭載するだけで、所定の角度に傾斜させて設置することができ、ソーラーパネル２０を傾斜させるための取付けブラケットなどを用いる必要がなく、部品点数を大幅に削減でき、設置作業の工程も少なくできる。
【００２７】
また、第１、第２ブロック１０、１１のアンカーボルト３０Ａに押え金具３１Ａ、３１Ｂの挿通穴３１Ｃを嵌め込み、押え金具３１Ａ、３１Ｂの押え部３１Ｄをソーラーパネル２０の側縁に被せ、アンカーボルト３０Ａにナット３０Ｂを螺合させて締め付けることによって、ソーラーパネル２０を第１、第２のブロック１０、１１に押し付けて固定するようにしたので、簡単な作業によってソーラーパネル２０を確実に設置することができ、低コスト化を実現できる。
【００２８】
また、ソーラーパネル２０の傾斜の高い側に第１のブロック１０を隣接して並べるようにしたので、後方からの強風がソーラーパネル２０の裏面に廻り込むのを防止でき、第１、第２のブロック１０、１１の重さと相まってソーラーパネル２０が強風で浮き上がるのを確実に阻止することができる。
【００２９】
また、図７及び図８は第２の実施形態を示し、図において図１ないし図６と同一符号は同一又は相当部分を示す。本例では第１、第２のブロック１０、１１の中央には１０ｃｍ×１０ｃｍ、厚さ３〜５ｍｍ程度のゴム板４０が載置され、ゴム板４０にはアンカーボルト３０Ａが挿通されており、第１、第２のブロック１０、１１とソーラーパネル２０との間の緩衝材として作用するようになっている。
【００３０】
なお、上記の例ではアンカーボルト３０Ａを予め第１、第２のブロック１０、１１に埋め込むようにしたが、設置作業時にボルト取付け用の穴をドリルなどで穿設し、この取付け用穴にアンカーボルトを打ち込み、アンカーボルトのスリーブを拡開させるなどして抜け止めするようにしてもよい。
【符号の説明】
【００３１】
１０      第１のブロック
１１      第２のブロック
２０      ソーラーパネル
３０Ａ    アンカーボルト
３０Ｂ    ナット
３１Ａ    第１の押え金具
３１Ｂ    第２の押え金具
３１Ｃ    挿通穴
３１Ｄ    押え部
３１Ｅ    起立辺部
４０      床面
【図１】
2014129713.tif 000003
【図２】
2014129713.tif 000004
【図３】
2014129713.tif 000005
【図４】
2014129713.tif 000006
【図５】
2014129713.tif 000007
【図６】
2014129713.tif 000008
【図７】
2014129713.tif 000009
【図８】
2014129713.tif 000010